(57)【特許請求の範囲】
【請求項１】
飼育水温を所定周期で規則的に変化させることにより、魚類の耳石に人為的なバーコード状模様の標識を形成する耳石標識付け方法において、
河川や海などの給水源から採取した原水（Ａ１）を魚類のふ化飼養池（Ｂ）へ供給する工程と、
この原水（Ａ１）をふ化飼養池（Ｂ）へ供給する前に水温調整手段（Ｃ）で冷却又は加熱して該原水（Ａ１）の温度変化と一定の温度差が生ずるように温度変化する温調水（Ａ２）を作成する工程と、
これら原水（Ａ１）と温調水（Ａ２）を、予め設定された水温変化パターンで一定時間毎に交互に魚類のふ化飼養池（Ｂ）へ供給して、魚類の耳石にバーコード状模様の標識を形成する工程とからなることを特徴とする耳石標識付け方法。
【請求項２】
前記水温調整手段（Ｃ）を用いて、河川や海又は井戸などの給水源から採取した原水（Ａ１）の水温変化とほぼ一定温度幅になるように冷却又は加熱することにより、給水源の温度変動と大きく変わらない範囲内でそれに沿って周期が長くて緩やかに温度変化させるように温度制御された生産水（Ａ３）を作成し、この生産水（Ａ３）のみをふ化飼養池（Ｂ）へ給水して、該生産水（Ａ３）の中で魚貝類の成長抑制又は成長促進が放流の最適期に合うように水温調整をする請求項１記載の耳石標識付け方法。
【請求項３】
飼育水温を所定周期で規則的に変化させることにより、魚類の耳石に人為的なバーコード状模様の標識を形成する耳石標識付け装置において、
河川や海又は井戸などの給水源からふ化飼養池（Ｂ）へ向け給水管路（１）を配管して、給水源から採取された原水（Ａ１）をふ化飼養池（Ｂ）へ供給し、この給水管路（１）の途中に、原水（Ａ１）を冷却又は加熱することにより原水（Ａ１）の温度変化と一定温度差の温調水（Ａ２）が作成される水温調整手段（Ｃ）を設けると共に、これら給水管路（１）からの原水（Ａ１）と、水温調整手段（Ｃ）からの温調水（Ａ２）とを、予め設定された水温変化パターンで一定時間毎に交互に魚類のふ化飼養池（Ｂ）へ供給して魚類の耳石にバーコード状模様の標識を形成するコントローラー（Ｄ）を設けたことを特徴とする耳石標識付け装置。
【請求項４】
前記水温調整手段（Ｃ）が、河川や海又は井戸などの給水源から採取した原水（Ａ１）の水温変化とほぼ一定温度幅になるように冷却又は加熱することにより、給水源の温度変動と大きく変わらない範囲内でそれに沿って周期が長くて緩やかに温度変化させるように温度制御された生産水（Ａ３）を作成し、コントローラー（Ｄ）が、原水（Ａ１）及び温調水（Ａ２）の交互供給と、生産水（Ａ３）のみの供給とを選択的に切り換える請求項３記載の耳石標識付け装置。
【発明の詳細な説明】
【０００１】
【発明の属する技術分野】
本発明は、資源調査を目的として例えばサケ・マス類やカレイなどの放流魚の耳石に標識を付けるために用いる耳石標識付け方法及びその実施に直接使用する耳石標識付け装置に関する。
詳しくは、ふ化段階、養魚段階、飼育段階において成長を抑制又は促進する成長コントロール機能をも備えた耳石標識付け方法及び耳石標識付け装置に関する。
【０００２】
【従来の技術】
従来から様々な人工標識により、魚類の資源量、成長速度、回遊経路、系群識別、分布などが調べられ、特にサケ・マス類では、人工ふ化放流事業が古くから行われてきたことから、鰭切除や色素注入によるマーキングやリボン型やコーデッド・ワイヤー型のタグ標識が施され、ふ化場からの放流魚の識別に利用されてきたものの、標識付け作業が煩雑なために数百万尾単位の大量な標識付けが困難であった。
最近になって、魚類の内耳にある耳石には、飼育水温を一定時間に亘り±４℃以上の水温変化させると、非周期的微細輪紋の黒色リングが出現することが明らかとなり、これを利用して、所定周期で規則的に水温を変化させることにより、人為的なバーコード状の模様を付けて標識とする技術が開発された。
一方、例えばサケなどの場合には、河川を遡上した秋サケを前期(８、９月)、中期（１０月）、後期（１１、１２月）に分けて捕獲・採卵し、水産庁さけ・ます資源管理センターなどでふ化放流している。現在の放流は、稚魚の大きさや水温は考慮されず、４月から７月の間に川に放流させている。
近年、これまでの研究で、サケ稚魚の生き残る割合が高い水温は、９．５〜１２．５度であることを突き止め、北海道沿岸の場合にはその海水温がこの水温帯になる６月上旬から７月上旬に放流する「集中放流方式」の方が、より安定した回帰が期待できることが判った。サケの回帰時期は、放流時期ではなく、ふ化時期で決まるため、「集中放流方式」でも回帰時期が集中することがなく、それにより水揚げバランスを調整する心配もない。
このため、前期、中期、後期に捕獲・採卵された卵を、水温が異なる別の場所のふ化槽へトラックなどで輸送して、その水温で卵の成長速度をコントロールさせて成長抑制又は成長促進することによりふ化時期を調整し、更に養魚段階や飼育段階でも水温が異なる別の場所の養魚池や飼育池などへ輸送して、その水温で稚魚の成長速度をコントロールさせて成長抑制又は成長促進することにより、すべての稚魚が最適期にほぼ同じサイズで放流することを検討している。
【０００３】
【発明が解決しようとする課題】
しかし乍ら、このような従来の耳石標識付け方法では、飼育水の温度を変化させるだけで大量な魚類に対し一度に標識付けが可能となるものの、一度使用した飼育水を再使用する循環方式の場合には、病原となる細菌が排出されずに増殖し続けるため、飼育水が腐敗し易くて悪臭が発生するばかりでなく、病気が発生した際には感染が早いという問題がある。
また、サケなどの場合には、卵や稚魚を別の場所へ輸送して夫々成長コントロールさせた後に、捕獲された元の河川に再び輸送してふ化放流する必要があるため、輸送時の振動で卵や稚魚にストレスがかかって成長不良を起こす恐れがあると共に、輸送コストの低減化から卵や稚魚が過密状態で大量搬送されるから傷付き易く、その結果、ウィルス感染などの病気により死に易いという問題がある。
更に、ふ化から放流直前まで同じ場所で成長コントロールできないため、卵や稚魚を捕獲された元の河川から別の場所へ往復移動させる際に、別の河川で捕獲された卵や稚魚と取り違える事故が発生する恐れがあり、この取り違えた稚魚が、捕獲・採卵された河川とは別の河川で放流された場合には、その回帰は放流された河川ではなく、捕獲・採卵された河川になってしまい、放流した河川では水揚げできないという問題がある。
そこで、同じ場所に設けたふ化槽や養魚池や飼育池などの水温を調整して卵や稚魚の成長速度をコントロールさせることにより、ふ化から放流直前までを輸送せずに同じ場所で成長抑制又は成長促進することが考えられる。
そもそも、卵や稚魚の成長には、自然環境に近い状態で飼育することが望ましく、具体的には捕獲された河川の水温変化が大きく影響する。河川の水温は、日中と日没時では大きく異なり、１日を通して周期の長い自然界温度変動曲線に沿って緩やかに変化する。これとは逆に水温が短い周期で温度変化する環境で飼育した場合には、これにサケの卵や稚魚は敏感に反応して悪影響が与えられ、このまま成長した稚魚を自然界に放流すると、生存率が低くて回帰率も著しく低下する。
しかし、上述したものの場合には、ふ化槽や養魚池や飼育池などの水温を検出し、この水温変化に基づいて水温調整装置により短い周期で冷却又は加熱して設定温度に近づけることは容易だが、自然界温度変動曲線に沿って変化させることは困難であり、これを実現するためには水温調整装置の構造が複雑化して製造コストが高価になるばかりでなく、更にふ化槽や養魚池や飼育池などの中で病気が発生した際には感染が早いという問題がある。
【０００４】
本発明のうち請求項１、３記載の発明は、一度に大量の標識付けを可能にすることを目的としたものである。
請求項２、４記載の発明は、請求項１または２に記載の発明の目的に加えて、簡単な構造で自然界温度変動曲線、即ち給水源の水温変化と同様な１日を通して周期の長くて緩やかに温度変化する温度変動曲線に沿った成長コントロールをも可能にすることを目的としたものである。
【０００５】
【課題を解決するための手段】
前述した目的を達成するために、本発明のうち請求項１記載の発明は、河川や海などの給水源から採取した原水を魚類のふ化飼養池へ供給する工程と、この原水をふ化飼養池へ供給する前に水温調整手段で冷却又は加熱して該原水の温度変化と一定の温度差が生ずるように温度変化する温調水を作成する工程と、これら原水と温調水を、予め設定された水温変化パターンで一定時間毎に交互に魚類のふ化飼養池へ供給して、魚類の耳石にバーコード状模様の標識を形成する工程とからなることを特徴とするものである。
ここで、バーコード状模様の標識とは、飼育水温を一定時間に亘り±４℃以上の水温変化させることによって、魚類の耳石に出現する黒色リングの本数と間隔で表現され、そのパターンを変えることにより、採卵国名、例えば河川名などの採卵地域、採卵月日などが識別可能となる。
請求項２記載の発明は、請求項１記載の発明の構成に、前記水温調整手段を用いて、河川や海又は井戸などの給水源から採取した原水の水温変化とほぼ一定温度幅になるように冷却又は加熱することにより、給水源の温度変動と大きく変わらない範囲内でそれに沿って周期が長くて緩やかに温度変化させるように温度制御された生産水を作成し、この生産水のみをふ化飼養池へ給水して、該生産水の中で魚貝類の成長抑制又は成長促進が放流の最適期に合うように水温調整をする構成を加えたことを特徴とする。
請求項３記載の発明は、河川や海又は井戸などの給水源からふ化飼養池へ向け給水管路を配管して、給水源から採取された原水をふ化飼養池へ供給し、この給水管路の途中に、原水を冷却又は加熱することにより原水の温度変化と一定温度差の温調水が作成される水温調整手段を設けると共に、これら給水管路からの原水と、水温調整手段からの温調水とを、予め設定された水温変化パターンで一定時間毎に交互に魚類のふ化飼養池へ供給して魚類の耳石にバーコード状模様の標識を形成するコントローラーを設けたことを特徴とするものである。
請求項４記載の発明は、請求項３記載の発明の構成に、前記水温調整手段が、河川や海又は井戸などの給水源から採取した原水の水温変化とほぼ一定温度幅になるように冷却又は加熱することにより、給水源の温度変動と大きく変わらない範囲内でそれに沿って周期が長くて緩やかに温度変化させるように温度制御された生産水を作成し、コントローラーが、原水及び温調水の交互供給と、生産水のみの供給とを選択的に切り換える構成を加えたことを特徴とする。
【０００６】
【作用】
請求項１、３の発明は、自然界から採取した原水と、それを水温調整手段で原水の温度変化と一定の温度差（例えば原水の温度より±４℃以上）となるように冷却又は加熱した温調水とを、予め設定された水温変化パターンで一定時間毎に交互に魚類のふ化飼養池へ供給することにより、このふ化飼養池内の魚類の耳石には、バーコード状模様の標識が付けられるものである。
請求項２、４の発明は、請求項１、３記載の作用に対して、給水源の水温変化と同様な１日を通して周期の長くて緩やかに温度変化する温度変動曲線に沿って温度変化する生産水のみがふ化飼養池内に給水されることにより、ふ化飼養池内の魚類は、それが捕獲された河川の水温変化と同様な周期が長くて緩やかに温度変化する生産水の中で成長が抑制又は促進される。
【０００７】
【発明の実施の形態】
以下、本発明の実施例を図面に基づいて説明する。
この実施例は、例えばサケ・マス類やカレイなどの放流魚のふ化から放流直前までを、同じ場所に配設されたふ化飼養池Ｂ内で飼育しながら、耳石標識付けと成長コントロールとを行う方法又はシステムである。
【０００８】
詳しくは、図１に示す装置で、河川や海又は井戸などの自然界から直接採取した原水Ａ１と、それを水温調整手段Ｃで冷却して原水Ａ１に対しその温度変化と関係なく一定の温度差（原水Ａ１の温度より−４℃だけ低い）となるようにした温調水Ａ２とを、予め設定された水温変化パターンで一定時間毎に交互にふ化飼養池Ｂへ供給することにより、耳石標識付けを行うと共に、原水Ａ１を水温調整手段Ｃでほぼ一定温度幅冷却して自然界温度変動曲線に沿って温度変化するようにした生産水Ａ３のみをふ化飼養池Ｂへ供給することにより、ふ化時期及び稚魚の成長を放流の最適期に合わせて抑制コントロールする場合を説明する。
【０００９】
上記方法又はシステムに使用する装置は、放流魚の卵や稚魚が収容されたふ化飼養池Ｂと、河川や海などの給水源（図示せず）からふ化飼養池Ｂへ向けて配設した給水管路１と、このふ化飼養池Ｂからの排水管路３とからなる。
上記給水管路１の途中には、給水ポンプ２を配設して、この給水ポンプ２の作動により、給水源から採取された原水Ａ１を一定な流量でふ化飼養池Ｂへ向け給水している。
【００１０】
このふ化飼養池Ｂとは、例えばふ化段階で使用するふ化槽、養魚段階で使用する養魚池、飼育段階で使用する飼育池、養魚段階及び飼育段階で兼用池やその他の水槽又は自然池などを含み、これらふ化槽や養魚池などを同じ場所に複数個設け、卵の成長段階に合わせて例えばふ化が完了した時点でふ化槽から養魚池又は兼用池へ移し替えたり、稚魚の成長段階に合わせて養魚池から飼育池に移し替えても良い。
上記給水源からふ化飼養池Ｂへの流量は、給水管路１の途中に設けた流量調整弁１ａで設定され、その操作により調整可能である。
【００１１】
上記給水ポンプ２の下流側には、水温調整手段Ｃを配設し、本実施例の場合には、この水温調整手段Ｃがヒートポンプであり、給水管路１の途中に設けた冷却機Ｃ１と、後述するふ化飼養池Ｂからの排水管路３の途中に設けた凝縮器Ｃ２と、これら両者に亘って設けた圧縮機Ｃ３とからなる。
【００１２】
上記冷却機Ｃ１は、圧縮機Ｃ３から供給された冷媒ガスを気化して、原水Ａ１をほぼ一定温度幅で冷却することにより、耳石標識付けの時には、給水源の水温に対しその温度変化と関係なく一定の温度差（原水Ａ１の温度より−４℃だけ低い）が予め設定された時間に亘って維持される温調水Ａ２を作成し、成長コントロールの時には、給水源の温度変動曲線に沿って温度変化する生産水Ａ３を作成し、これら温調水Ａ２及び生産水Ａ３をふ化飼養池Ｂへ給水する。
【００１３】
本実施例の場合には、上記給水管路１の途中で冷却機Ｃ１の直前には、冷却させる直前の原水Ａ１の水温を検出する水温センサーＣ４が配設され、この水温センサーＣ４からの出力に基づき、冷却機Ｃ１と圧縮機Ｃ３との連絡路に設けた補助温度制御弁Ｃ５を作動制御して、圧縮機Ｃ３から冷却機Ｃ１へ供給する冷媒ガスの流量が自動調整されている。
その結果、原水Ａ１の水温変化に応じて冷却機Ｃ１による冷却温度を若干補正し、それにより、温調水Ａ２及び生産水Ａ３を給水源の温度変動曲線と大きく変わらない範囲内でそれに沿って温度変化させるように温度制御したり、また成長コントロール時において原水Ａ１の水温が急激に低下した場合には、生産水Ａ３が目標温度以下になって放流魚の卵や稚魚の生育限界温度以下にならないように温度制御しても良い。
【００１４】
そして、上記ふ化飼養池Ｂには、放流魚の卵や稚魚が直接流れ出ないように排水口Ｂ１を開設し、この排水口Ｂ１には排水管路３が配管接続され、この排水管路２の先端を槽外に連通させ、槽内の温調水Ａ２及び生産水Ａ３を該排水口Ｂ１から排水して全ての温調水Ａ２及び生産水Ａ３が入れ替わるように垂れ流す。
【００１５】
更に、上記排水管路２の途中には、前記ヒートポンプＣの凝縮器Ｃ２を配設し、上記冷却機Ｃ１で既に冷却されたふ化飼養池Ｂからの排水Ａ４を凝縮器Ｃ２に給水することにより、この排水Ａ４がヒートポンプＣ中の冷媒ガスを介して上記給水管路１中の原水Ａ１と熱交換され、排水Ａ４の熱エネルギーが原水Ａ１に移動し、冷媒ガスの冷却水として再利用した後に垂れ流される。
即ち、水温調整手段Ｃを構成するヒートポンプは、排水管路３と給水管路１に亘って設けた排水Ａ４と原水Ａ１の熱交換器でもある。
【００１６】
また、図示例の場合には、前記給水ポンプ２の下流側に、上記水温調整手段Ｃを経由せずにふ化飼養池Ｂへ連絡する補給水管路４を配管し、この補給水管路４に配設した補給水用電磁弁５の作動により、原水Ａ１をふ化飼養池Ｂの排水口Ｂ１へ直接給水して、上記給水管路１か又はふ化飼養池Ｂで水漏れした場合には、その分だけ補給するようにしても良い。
【００１７】
更に、前記排水管路２の途中には、ブースターポンプ６を配設しても良く、また給水管路１の冷却機Ｃ１より下流側と、排水管路２の圧縮機Ｃ３より下流側には、水量計７，７を配設しても良い。
【００１８】
上述した給水ポンプ２、ヒートポンプＣの圧縮機Ｃ３、補給水用電磁弁５及びブースターポンプ６は、コントローラーＤに電気的に接続される。
このコントローラーＤには、予め設定された水温変化パターンが記憶されたプログラムタイマーＤ１が内蔵され、耳石標識付けの時には、該プログラムタイマーＤ１に基づいて原水Ａ１及び温調水Ａ２を一定時間毎に交互にふ化飼養池Ｂへ給水させ、成長コントロールの時には、プログラムタイマーＤ１と関係なく生産水Ａ３のみをふ化飼養池Ｂへ連続給水させる。
【００１９】
本実施例の場合には、上記圧縮機Ｃ３の作動をＯＮ・ＯＦＦ制御し、圧縮機Ｃ３のＯＮ制御によって原水Ａ１に比べ−４℃だけ低く冷却した温調水Ａ２をふ化飼養池Ｂへ給水させ、また圧縮機Ｃ３のＯＦＦ制御によって原水Ａ１を冷却せずにそのままふ化飼養池Ｂへ給水させている。
【００２０】
なお、上記コントローラーＤは、給水管路１の冷却機Ｃ１より下流側に設けた水温センサー８と、ふ化飼養池Ｂの排水口Ｂ１付近に設けた水位計９とからの入力に基づいて、給水ポンプ２、圧縮機Ｃ３、補給水用電磁弁５及びブースターポンプ６を自動制御しても良い。
【００２１】
次に、斯かる耳石標識付け装置の作動について説明する。
先ず、耳石標識付けの時には、コントローラーＤのプログラムタイマーＤ１により、ヒートポンプＣの圧縮機Ｃ３をＯＮ・ＯＦＦ制御して、自然界の給水源から採取した原水Ａ１と、それを−４℃だけ低く冷却した温調水Ａ２とが、予め設定された水温変化パターンで一定時間毎に交互にふ化飼養池Ｂへ供給される。
【００２２】
具体的には、例えばサケ・マス類の耳石へ標識可能となる発眼卵期の耳石の幅寸法が 100μｍ以上に達した時期又は浮上直前の仔魚に対し、１２時間又は２４時間や４８時間などの周期で、規則的にふ化飼養池Ｂ内の水温を４℃又はそれ以上の水温変化が起きる。
この際、１２〜４８時間という長い時間に亘って、原水Ａ１の温度変化と関係なく一定温度差（原水Ａ１の温度より−４℃だけ低い）に維持された温調水Ａ２を、ふ化飼養池Ｂへ安定供給するためには、水温調整手段Ｃのヒートポンプで冷却した温調水Ａ２を、そのまま貯留タンク（図示せず）に貯めるか、或いは上記ヒートポンプとは別の水温調整手段（図示せず）で冷却した温調水Ａ２を、そのまま貯留タンク（図示せず）に貯め、これらの貯留タンクからふ化飼養池Ｂへ安定供給させても良い。
【００２３】
それにより、このふ化飼養池内の魚類の耳石には、４℃又はそれ以上の水温変化に伴ってバーコード状模様の標識が付けられ、それに使用された該ふ化飼養池Ｂ内の原水Ａ１及び温調水Ａ２は全てが入れ替わるように垂れ流されて、常時、新鮮な原水Ａ１又は温調水Ａ２が供給される。
その結果、細菌の増殖を防止しながら一度に大量の標識付けができる。
【００２４】
また、成長コントロールの時には、プログラムタイマーＤ１と関係なく自然界の給水源から採取した原水Ａ１が、水温調整手段Ｃのヒートポンプによりほぼ一定温度幅で冷却され、それにより、自然界温度変動曲線に沿って温度変化する生産水Ａ３となってふ化飼養池Ｂへ連続的に給水される。
【００２５】
このふ化飼養池Ｂ内に収容された放流魚の卵や稚魚は、それが捕獲された河川の水温変化と同様な周期が長くて緩やかに温度変化する生産水Ａ３の中で成長が抑制される。
その結果、簡単な構造で自然界温度変動曲線に沿った成長コントロールができる。
【００２６】
更に、ふ化飼養池Ｂの生産水Ａ３は全てが入れ替わるように垂れ流されるので、ふ化飼養池Ｂ内で病気が発生しても病気は感染し難く、病気対策のために薬剤を投入しても、薬剤濃度が上がらず、これより放流魚の卵や稚魚が死ぬことはない。
【００２７】
そして、本実施例の場合には、水温調整手段Ｃで既に冷却されたふ化飼養池Ｂからの排水Ａ４を、原水Ａ１と熱交換させた後に垂れ流すことにより、排水Ａ４の熱エネルギーが原水Ａ１に移動し、冷媒ガスの冷却水として再利用される。
その結果、ふ化飼養池Ｂからの排水Ａ４の熱エネルギーを有効利用できる。
従って、ふ化飼養池Ｂからの排水Ａ４を、原水Ａ１と熱交換せずに冷却するものに比べ、経済的であるという利点がある。
【００２８】
一方、図２と図３に示すものは、夫々が本発明の他の実施例である。
図２に示すものは、水温調整手段Ｃが配備された給水管路１とは別に、給水源からふ化飼養池Ｂへ向けて給水専用管路１′を配設し、これら給水管路１及び給水専用管路１′の末端を連結して、その吐水口をふ化飼養池Ｂへ向けると共に、その連結部には、コントローラーＤのプログラムタイマーＤ１に基づいて作動制御される三方弁１０を設け、予め設定された水温変化パターンで給水専用管路１′からの原水Ａ１と、給水管路１からの−４℃だけ低く冷却した温調水Ａ２とが、予め設定された水温変化パターンで一定時間毎に交互にふ化飼養池Ｂへ供給される構成が、前記図１に示した実施例とは異なり、それ以外の構成は図１に示した実施例と同じものである。
【００２９】
その結果、図２に示すものは、図１に示した実施例と同様に、細菌の増殖を防止しながら一度に大量の標識付けができる。
なお、上記三方弁１０を設けずに、給水専用管路１′の末端に配設した手動弁１１′と、給水管路１の末端に配設した手動弁１１を、夫々手動で開閉操作することにより、予め設定された水温変化パターンで一定時間毎に交互にふ化飼養池Ｂへ供給しても良い。
【００３０】
図３に示すものは、前記水温センサーＣ４と補助温度制御弁Ｃ５を設けず、これに代えて、手動操作により冷媒ガスの流量が設定した量に固定保持される温度制御弁Ｃ６を、冷却機Ｃ１と圧縮機Ｃ３との連絡路に設けた構成が、前記図１に示した実施例とは異なり、それ以外の構成は図１に示した実施例と同じものである。
【００３１】
その結果、図３に示すものは、上記温度制御弁Ｃ６を手動操作しない限り、圧縮機Ｃ３から冷却機Ｃ１へ供給される冷媒ガスの流量が一定であり、それにより、原水Ａ１の水温変化に応じて冷却機Ｃ１の冷却能力が変化することなく原水Ａ１はほぼ一定温度幅で冷却されて、生産水Ａ３を給水源の温度変動曲線に完全に沿った状態で温度変化させるように温度制御される。
原水Ａ１に対する温調水Ａ２及び生産水Ａ３の冷却温度を変える場合には、温度制御弁Ｃ６を手動操作して冷媒ガスの流量を設定し直すか、又は冷却機Ｃの上流側に配置した流量調整弁１ａを手動操作して、冷却機Ｃ１への流量を制御しても良い。
【００３２】
尚、前示実施例では、原水Ａを水温調整手段Ｃで冷却することにより、耳石標識付けと、ふ化時期及び稚魚の成長を放流の最適期に合わせて抑制コントロールする場合のみを説明したが、これに限定されず、原水Ａ１と、それを水温調整手段Ｃで加熱して原水Ａ１に対しその温度変化と関係ない一定温度差（原水Ａ１の温度より＋４℃だけ高い）となるようにした温調水Ａ２とを、予め設定された水温変化パターンで一定時間毎に交互にふ化飼養池Ｂへ供給することにより、耳石標識付けを行うと共に、水温調整手段Ｃでほぼ一定温度幅加熱して自然界温度変動曲線に沿って温度変化するようにした生産水Ａ３のみをふ化飼養池Ｂへ供給することにより、ふ化時期及び稚魚の成長を放流の最適期に合わせて促進コントロールさせても良く。この場合は、水温調整手段Ｃで冷却した場合と全く逆の作動であるため、この説明を省略する。
従って、上述した耳石標識付けでは、原水Ａ１とそれより−４℃冷却された温調水Ａ２とのマイナスの水温差を利用したので、マイナス水温を与えた時間だけ魚類の成長遅れが発生するが、その遅れを取り戻すために、この成長コントロール方法及び装置で該魚類の成長促進を行うことができる。
【００３３】
そして、前示実施例では、耳石標識付け時と成長コントロール時に、同一の水温調整手段Ｃによって原水Ａ１を冷却したが、これに限定されず、耳石標識付け用の水温調整手段と、成長コントロール専用の水温調整手段Ｃを別個に設けても良い。
【００３４】
また、前示実施例では、水温調整手段Ｃで既に冷却したふ化飼養池Ｂからの排水Ａ４が、ヒートポンプＣ中の冷媒ガスを介して原水Ａ１と熱交換された後に垂れ流したが、これに限定されず、ふ化飼養池Ｂからの排水Ａ４が、一般的な従来周知構造の熱交換器を介して原水Ａ１と熱交換したり、或いは原水Ａ１と熱交換させずに直接垂れ流しても良い。
また更に、排水Ａ４を冷媒ガスの冷却水として再利用したが、これに限定されず、空冷により冷媒ガスを冷却しても良い。
【００３５】
【発明の効果】
以上説明したように、本発明のうち請求項１、３記載の発明は、自然界から採取した原水と、それを水温調整手段で原水の温度変化と一定の温度差（例えば原水の温度より±４℃以上）となるように冷却又は加熱した温調水とを、予め設定された水温変化パターンで一定時間毎に交互に魚類のふ化飼養池へ供給することにより、このふ化飼養池内の魚類の耳石には、バーコード状模様の標識が付けられるので、一度に大量の標識付けができる。
従って、大量の放流魚に発病させずに多種類の標識を簡単に施すことができて、放流群別の識別が容易となり、放流魚の海洋における分布、回遊経路、野生魚との相互関係など様々な資源や生態の研究に利用することができる。
更に、前記ふ化飼養池内の原水及び温調水を排水する排水管路を設けると共に、このふ化飼養池に排水口を開設して、この排水口から卵や稚魚が直接流れ出ないように全ての原水及び生産水が入れ替われるように垂れ流し排水すれば、常時新鮮な原水又は温調水が供給されるので、細菌の増殖を防止できる。
従って、一度使用した飼育水を再使用する循環方式のものに比べ、飼育水の腐敗による悪臭の発生や病気の発生を完全に防止することもできる。
【００３６】
請求項２、４の発明は、請求項１または３の発明の効果に加えて、給水源の水温変化と同様な１日を通して周期の長くて緩やかに温度変化する温度変動曲線に沿って温度変化する生産水のみがふ化飼養池内に給水されることにより、ふ化飼養池内の魚類は、それが捕獲された河川の水温変化と同様な周期が長くて緩やかに温度変化する生産水の中で成長が抑制又は促進されるので、簡単な構造で自然界温度変動曲線、即ち給水源の水温変化と同様な１日を通して周期の長くて緩やかに温度変化する温度変動曲線に沿った成長コントロールもできる。
従って、自然環境に近い状態でしかも低コストで飼育でき、特にサケなどの場合には自然界に放流した際の生存率が向上して回帰率も著しく向上する。
更に、サケなどの場合には、卵や稚魚を別の場所へ輸送して夫々成長コントロールさせた後に、捕獲された元の河川に再び輸送してふ化放流する必要がある従来の成長コントロール方法に比べ、ふ化から放流直前まで同じ場所で成長コントロールでき、輸送時の振動により卵や稚魚にストレスをかけたり、輸送時に傷付いてウィルス感染などの病気により死ぬことを防止でき、しかも別の河川で捕獲された卵や稚魚と取り違える事故の発生も完全に防止できる。
また、前記ふ化飼養池内の生産水を排水する排水管路を設けると共に、このふ化飼養池に排水口を開設して、この排水口から卵や稚魚が直接流れ出ないように全ての生産水が入れ替われるように垂れ流し排水すれば、常時新鮮な生産水が供給されるので、細菌の増殖を防止できる。
従って、一度使用した飼育水を再使用する循環方式のものに比べ、飼育水の腐敗による悪臭の発生や病気の発生を完全に防止することもできる。
【図面の簡単な説明】
【図１】本発明の一実施例を示す耳石標識付け方法に使用する装置の概略図である。
【図２】本発明の他の実施例を示す耳石標識付け方法に使用する装置の概略図である。
【図３】本発明の他の実施例を示す耳石標識付け方法に使用する装置の概略図である。
【符号の説明】
Ａ１  原水                        Ａ２  温調水
Ａ３  生産水                      Ａ４  排水
Ｂ  ふ化飼養池                    Ｃ  水温調整手段
Ｄ  コントローラー                １  給水管路
３  排水管路
【図１】
0003542337.tif 000002
【図２】
0003542337.tif 000003
【図３】
0003542337.tif 000004